(57)【要約】【課題】この考案は外観の向上や安全性の向上を図ることができるようにしたベッド装置を提供することにある。【解決手段】引き出し６を有する箱状体２の幅寸法よりも大きな幅寸法に形成され箱状体の長手方向一端面に幅方向一端部の内面が連結されたヘッドボード１３及び長手方向の他端面に幅方向の一端部の内面が連結されたフットボード１４と、各ボードの幅方向他端に長手方向の一端と他端が連結された側板２４と、側板と箱状体のとの間に架設される床板３と、床板と上記箱状体との上面に載置されるマットレス２９と、箱状体の下面の長手方向両端部であって、各ボードの幅方向一端に対応する幅方向の一端部に着脱可能に設けられた第１の脚体３１と、各ボードの幅方向他端部内面に着脱可能に設けられ第１の脚とでヘッドボード、フットボード及び箱状体を支持する第２の脚体３２を具備する。【選択図】      図１
0003138332.tif 000002
【実用新案登録請求の範囲】
【請求項１】
一側面が開口した箱状体と、
この箱状体に出し入れ可能に設けられた引き出しと、
上記箱状体の幅寸法よりも大きな幅寸法に形成され上記箱状体の長手方向一端面に幅方向一端部の内面が連結されたヘッドボード及び長手方向の他端面に幅方向の一端部の内面が連結されたフットボードと、
上記ヘッドボードとヘッドボードの幅方向他端に長手方向の一端と他端が連結された側板と、
この側板と上記箱状体の他側面との間に上面を上記箱状体の上面と同じ高さにして架設される床板と、
この床板と上記箱状体との上面に載置されるマットレスと、
上記箱状体の下面の長手方向両端部であって、上記ヘッドボードとフットボードとの幅方向一端に対応する幅方向の一端部に着脱可能に設けられた第１の脚体と、
上記ヘッドボードとフットボードとの幅方向他端部内面に着脱可能に設けられ上記第１の脚とで上記ヘッドボード、フットボード及び上記箱状体を支持する第２の脚体と
を具備したことを特徴とするベッド装置。
【請求項２】
上記ヘッドボードとフットボードの内面の下端部には幅方向全長にわたる幕板が取付けられ、上記箱状体の長手方向の一端面と他端面には上記幕板を介して上記ヘッドボードとフットボードが連結されていて、
上記各ボードの幅方向他端部に対応する上記幕板の端部には下端に水平な取付け面を有するブラケットが設けられ、このブラケットの取付け面には上端面の一部を上記取付け面から外方へ突出させて上記幕板の下端面に当接させた上記第２の脚体が着脱可能に取り付けられることを特徴とする請求項１記載のベッド装置。
【請求項３】
上記ヘッドボードとフットボードの幅方向両端部には上下方向に所定間隔で複数のねじ孔が設けられ、上記箱状体と側板は上記ねじ孔にねじ込まれるねじによって上記ヘッドボードとフットボードに連結されるようになっていて、
上記ねじがねじ込まれるねじ孔の位置を変えることで、上記ヘッドボードとフットボードの上記箱状体と側板に対する連結高さを変更することができることを特徴とする請求項１又は２記載のベッド装置。
【請求項４】
上記ヘッドボードとフットボードの上記箱状体と側板に対する連結高さは上記マットレスの厚さに応じて変更されることを特徴とする請求項３記載のベッド装置。
【請求項５】
上記第１の脚体と第２の脚体は分解可能な２つの部分から構成されていて、上記ヘッドボード、フットボード及び上記箱状体を支持する高さを変えることができることを特徴とする請求項１乃至請求項５のいずれかに記載のベッド装置。
【考案の詳細な説明】
【技術分野】
【０００１】
この考案は引き出しが出し入れ可能に設けられるベッド装置に関する。
【背景技術】
【０００２】
一般に、ベッド装置はベッド本体を有する。このベッド本体は所定の間隔で平行に離間した一対の側板を有し、これら側板の長手方向一端にはヘッドボード、他端にはフットボードが設けられている。一対の側板間にはマットレスが載置される床板が架設される。
【０００３】
このような構成のベッド装置では床板の下面側の空間が有効に利用されていないということがある。そこで、ヘッドボードとフットボードとの間に、上記床板に代わり、側面が開口した箱状体を設け、この箱状体内に開口した側面から出し入れ可能に引き出しを設ける。それによって、この引き出しを衣類や小物類などの収容部とすることで、床板の下面側の空間を有効に利用するということが行なわれている。  
このようなベッド装置は特許文献１に示されている。特許文献１に示されたベッド装置は引き出しが出し入れ可能に設けられた箱状体を有する。この箱状体の長手方向一端面である前端面にはヘッドボード、他端面である後端面にはフットボードがそれぞれ幅方向の一端部を連結して設けられている。
【０００４】
上記ヘッドボードの幅方向他端には側板の長手方向一端が連結されていて、上記箱状体と側板との後端部には上記箱状体、フットボード及び側板を上記ヘッドボードとで支持する脚体が設けられている。
【０００５】
このような構成によれば、脚体が箱状体や側板の後端部に設けられているので出っ張らないため、見栄えがよく、またやや奥まった部分に位置するので周辺を歩き人が足をぶつけることなく、安全性に優れるというものである。
【考案の開示】
【考案が解決しようとする課題】
【０００６】
しかしながら、箱状体と側板との後端に設けられる脚体のうち、箱状体の後端に設けられる脚体は、その取付け位置を箱状体（フットボード）の幅方向に対して比較的制限を受けることなく取付けることができるものの、側板の後端に設けられる脚体は、その後端が連結されるフットボードの幅方向の端部に位置することになり、その取付け位置を幅方向内方に自由に変更することができない。
【０００７】
そのため、脚体を幅方向内方の十分に奥まった部分に位置させるということができないから、外観や安全性の点で十分でないということがあった。しかも、脚体が取付けられた側板の後端をヘッドボードの幅方向の端部に連結しなければならないから、その部分の連結構造が複雑化するということがあった。
【０００８】
この考案は、脚体を側板に設けず、ヘッドボードとフットボードの内面に設けることで、外観や安全性の向上が図れ、しかも構造の簡略化を図ることができるようにしたベッド装置を提供することにある。
【課題を解決するための手段】
【０００９】
この考案は、一側面が開口した箱状体と、
この箱状体に出し入れ可能に設けられた引き出しと、
上記箱状体の幅寸法よりも大きな幅寸法に形成され上記箱状体の長手方向一端面に幅方向一端部の内面が連結されたヘッドボード及び長手方向の他端面に幅方向の一端部の内面が連結されたフットボードと、
上記ヘッドボードとヘッドボードの幅方向他端に長手方向の一端と他端が連結された側板と、
この側板と上記箱状体の他側面との間に上面を上記箱状体の上面と同じ高さにして架設される床板と、
この床板と上記箱状体との上面に載置されるマットレスと、
上記箱状体の下面の長手方向両端部であって、上記ヘッドボードとフットボードとの幅方向一端に対応する幅方向の一端部に着脱可能に設けられた第１の脚体と、
上記ヘッドボードとフットボードとの幅方向他端部内面に着脱可能に設けられ上記第１の脚とで上記ヘッドボード、フットボード及び上記箱状体を支持する第２の脚体と
を具備したことを特徴とするベッド装置にある。
【００１０】
上記ヘッドボードとフットボードの内面の下端部には幅方向全長にわたる幕板が取付けられ、上記箱状体の長手方向の一端面と他端面には上記幕板を介して上記ヘッドボードとフットボードが連結されていて、
上記各ボードの幅方向他端部に対応する上記幕板の端部には下端に水平な取付け面を有するブラケットが設けられ、このブラケットの取付け面には上端面の一部を上記取付け面から外方へ突出させて上記幕板の下端面に当接させた上記第２の脚体が着脱可能に取り付けられることが好ましい。
【００１１】
上記ヘッドボードとフットボードの幅方向両端部には上下方向に所定間隔で複数のねじ孔が設けられ、上記箱状体と側板は上記ねじ孔にねじ込まれるねじによって上記ヘッドボードとフットボードに連結されるようになっていて、
上記ねじがねじ込まれるねじ孔の位置を変えることで、上記ヘッドボードとフットボードの上記箱状体と側板に対する連結高さを変更することができることが好ましい。
【００１２】
上記ヘッドボードとフットボードの上記箱状体と側板に対する連結高さは上記マットレスの厚さに応じて変更されることが好ましい。
【００１３】
上記第１の脚体と第２の脚体は分解可能な２つの部分から構成されていて、上記ヘッドボード、フットボード及び上記箱状体を支持する高さを変えることができることが好ましい。
【考案の効果】
【００１４】
この考案によれば、側板に脚体を取付けず、ヘッドボードとフットボードの内面に脚体を取付けるようにしたから、脚体の取付け位置を十分に幅方向内方にして外観や安全性の向上を図ることが可能となる。
【考案を実施するための最良の形態】
【００１５】
以下、この考案の実施の形態を図面を参照しながら説明する。  
図１はベッド装置の分解斜視図、図２は組立て状態の斜視図であって、このベッド装置は載置体１を備えている。この載置体１は、箱状体２と、長手方向中途部で分割された２枚の床板３とから構成されている。上記箱状体２は一側面が開口していて、内部は仕切り板４によって２つの収納部５に区画されている。各収納部５にはそれぞれ上面が開口した箱形状の引き出し６が出し入れ可能に設けられている。各引き出し６の前面板６ａは各収納部５の開口面よりもわずかに大きく設定されている。
【００１６】
上記箱状体２は長手方向両端に位置する一対の端板１１ａ，１１ｂが箱状体２の幅寸法よりも長く形成されていて、一端部を箱状体２の他側面側に突出させている。この端板１１ａ，１１ｂの長手方向の両端部にはそれぞれ取付け孔１２が形成されている。
【００１７】
箱状体２の一方の端板１１ａにはヘッドボード１３が取り付けられ、他方の端板１１ｂにはフットボード１４が取り付けられる。すなわち、上記ヘッドボード１３とフットボード１４は上記箱状体２の幅寸法の約２倍の幅寸法に形成されている。ヘッドボード１３の内面の幅方向中央部には上下方向に所定間隔で離間した複数、この実施の形態では３つの第１のねじ孔１５が形成され、両端部には第１のねじ孔１５と同様、上下方向に所定間隔で離間した３つの第２のねじ孔１６が上下方向に離間して形成されている。
【００１８】
つまり、ヘッドボード１３には幅方向中央の第１のねじ孔１５を中心にして第２のねじ孔１６が左右対称に形成されている。なお、図示しないが、フットボード１４の内面には、幅方向中央の高さ方向中途部に１つの第１のねじ孔、長手方向一端部の高さ方向中途部には１つの第２のねじ孔、他端部には２つの第２のねじ孔１６（図４に１つだけ図示）が形成されている。各ボード１３、１４に設けられるねじ孔はインサートナットを埋め込むことで形成されている。
【００１９】
上記ヘッドボード１３は、上記箱状体２の一方の端板１１ａの長手方向両端部に形成された一対の取付け孔１２に第１のねじ１７（一方のみ図示）を挿入し、この第１のねじ１７を、幅方向中央に位置する３つの第１のねじ孔１５と中央に位置する３つの第２のねじ孔１６のうち最も下側に位置する第１、第２のねじ孔１５，１６に捩じ込むことで、上記箱状体２の一端面に連結固定されている。上記フットボード１４は、ヘッドボード１３と同様、一対の第２のねじ１８をフットボード１４の幅方向中央と一端側に位置する第１、第２のねじ孔１５，１６にそれぞれ捩じ込むことで、箱状体２の他端面に連結固定されている。
【００２０】
上記箱状体２の長手方向の一端面と上記ヘッドボード１３との間及び他端面と上記フットボード１４の間にはそれぞれ幕板１９が設けられる。各幕板１９には幅方向一端に第１の通孔１９ａ、中央に第２の通孔１９ｂ、他端に一対の第３の通孔１９ｃが形成されているとともに、他端部の第３の通孔１９ｃよりも幅方向内方には上下方向に離間した一対の第３のねじ孔２０が設けられている。なお、フットボード１４側の幕板１９に形成されたねじ孔２０は図４に示す。
【００２１】
そして、各一対の第１、第２のねじ１７，１８は幕板１９の第１、第２の通孔１９ａ，１９Ｂを通されて上述したように各ボード１３、１４の第１、第２のねじ孔１５，１６に螺合される。それによって、一対の幕板１９は各ボード１３、１４の内面と箱状体２の端面との間に介在するようになっている。
【００２２】
上記ヘッドボード１３とヘッドボード１４の内面に取付けられた各幕板１９の幅方向他端には側板２４の長手方向一端と他端とが連結される。すなわち、上記側板２４の長手方向の両端には平面形状がＬ字状の連結具２５の一辺がねじ止め固定されている。一方の連結具２５の他辺は一対の第３のねじ２６によって上記幕板１９の第３の通孔１９ｃを介して上記ヘッドボード１３の幅方向他端に形成された３つの第２のねじ孔１６のうちの２つにねじ止め固定される。
【００２３】
他方の連結具２５の他辺は同じく一対の第３のねじ２６によって上記幕板１９の第３の通孔１９ｃを介して上記フットボード１４の幅方向他端に形成された２つの第２のねじ孔１６にねじ止め固定される。
【００２４】
上記箱状体２の上記側板２４に対向する幅方向内方に位置する側面と、上記側板２４の内面にはそれぞれ受け桟２８が長手方向ほぼ全長にわたって設けられている。一対の受け桟２８には上記２枚の床板３が幅方向両端部を着脱可能に係合させて架設されている。床板３と箱状体２の上面は同じ高さになっていて、これらの上面にはマットレス２９が載置される。
【００２５】
なお、上記箱状体２の側面に設けられた受け桟２８と、側板２４に設けられた受け桟２８との長手方向中途部の上面には、補強線材３０のＬ字状に屈曲された両端部が係合する図示しない係合孔が開口形成されている。上記補強線材３０は上記側板２４に加わる荷重で、この側板２４が載置体１の幅方向外方に湾曲するのを防止している。
【００２６】
上記構成の載置体１は第１乃至第３の脚体３１〜３３によって支持される。各脚体３１〜３３は第１の部分と第２の部分とが分解可能にねじで連結されていて、上側に位置する第１の部分の上面には取付けねじ３４が突設されている。
【００２７】
上記第１の脚体３１は上記箱状体２の幅方向一端部であって、長手方向両端部の下面に着脱可能にねじ止め固定されている。上記第２の脚体３２は一対の幕板１９の幅方向他端部に設けられた一対の第３のねじ孔２０に第４のねじ３５によってねじ止め固定されたブラケット３６の下端面に着脱可能にねじ止め固定される。上記ブラケット３６は図３（ａ）〜（ｂ）に示すように側面が三角形状であって、その取付け面としての下端面３６ａの上面にはナット３６ｂが設けられ、このナット３６ｂに上記第２の脚３２の取付けねじ３４が螺合される。
【００２８】
上記箱状体２の長手方向の中途部であって、幅方向の内方側の下面には上記第３の脚体３３がねじ止め固定される。それによって、箱状体２、ヘッドボード１３及びフットボード１４は上記第１乃至第３の脚体３１〜３３によって支持される。
【００２９】
図４に示すように第２の脚体３２の上端面３２ａは上記ブラケット３６の下端面３６ａよりも大きく形成されて上記下端面３５ａから外方に突出している。そして、突出した上記第２の脚体３２の上端面３２ａの一部は上記幕板１９の下端面に当接するようになっている。つまり、第２の脚体３２はブラケット３６を幕板１９に連結した第４のねじ３５によって載置体１の荷重を支えるだけでなく、幕板９の下端面に当接する上端面３２ａによっても載置体１の荷重を支持するため、第２の脚体３２による載置体１の支持強度が向上している。
【００３０】
上記構成のベッド装置によれば、載置体１を第１乃至第３の脚体３１〜３３によって支持するとともに、第２の脚体３２を側板２４の長手方向両端部に取付けず、ヘッドボード１３とフットボード１４の内面に設けられた幕板１９の端部にブラケット３６を介して取付けるようにした。
【００３１】
そのため、第２の脚体３２を外部からほとんど見えることのない幅方向の内方に取付けることが可能となるから、外観的に良好であり、しかも十分に幅方向内方に取付ければ、近くを歩く人が足をぶつけることがなくなるから、安全性も向上する。
【００３２】
第２の脚体３２は、幕板１９に取付けられたブラケット３６の下端面３６ａにねじ止めされる。第２の脚体３２の上端面３２ａは上記ブラケット３６の下端面３６ａから突出し、その突出した上端面３２ａの一部はヘッドボード１３及びフットボード１４の内面に設けられた幕板１９の下端面を当接支持している。そのため、各ボード１３，１４は幕板１９を介して第２の脚体３２によって確実に支持されるから、支持強度を向上させることができる。
【００３３】
上記箱状体２と床板３の上面に載置されるマットレス２９は図５に示すようにＴ１で示す厚さのものを用いたり、図６にＴ２で示すＴ１の厚さよりも厚いものが用いられることがある。厚さが異なるマットレス２９を用いた場合であっても、ヘッドボード１３のマットレス２９の上面から上方に突出した部分の突出寸法Ｐが同じでないと、外観的に体裁が悪いばかりか、使用しにくいということがある。
【００３４】
つまり、図８に示すように厚さＴ１のマットレス２９から厚さＴ２のマットレス２９に変換した場合、ヘッドボード１３のマットレス２９の上面からの突出寸法がＰ１からＰ２に示すように小さくなると、ヘッドボード１３が低く見えて外観が悪くなるばかりか、マットレス２９上に枕３８を置いたときに、枕３８の上面がヘッドボード１３の上端とほぼ同じ高さになるなどして使用しにくいということがある。
【００３５】
そこで、マットレス２９を図５に示すように厚さがＴ１から図６に示すようにＴ２の厚さに変えた場合、ヘッドボード１３に対する箱状体２と側板２４との連結高さを変える。すなわち、厚さがＴ１のマットレス２９の場合には、ヘッドボード１３の幅方向両端部に上下方向に所定間隔で設けられた３つの第２のねじ孔１６のうち、第１のねじ１７は最上段のねじ孔１６に螺合し、側板２４を連結する第３のねじ２６は３つの第２のねじ孔１６のうち、上の２つの第２のねじ孔１６に螺合する。それによって、ヘッドボード１３のマットレス２９の上面からの突出寸法を図５に示すようにＰとすることができる。
【００３６】
図６に示すように、上記マットレス２９の厚さがＴ１よりも厚いＴ２となった場合、第１のねじ１７は上から２番目の高さの第２のねじ孔１６に螺合し、第３のねじ２６は上から２番目と３番目の高さの第２のねじ孔１６に螺合する。
【００３７】
それによって、箱状体２と側板２４に対するヘッドボード１３の相対的な連結高さが高くなるから、ヘッドボード１３のマットレス２９の上面からの突出寸法を図５の場合とほぼ同じＰとすることができる。
【００３８】
このとき、第１乃至第３の脚体３１〜３３を２つに分割し、その下側の部分だけによって載置体１を支持するようにすれば、載置体１の支持高さが低くなるから、図６に示す床面から厚さＴ２のマットレス２９の上面までの高さＨと、図５に示す床面から厚さＴ１のマットレス２９の上面までの高さＨをほぼ同じにすることができる。
【００３９】
つまり、マットレス２９の厚さが変わっても、床面からマットレス２９の上面までの高さＨを同じにすることができるから、利用者はマットレス２９の上面に対する乗り降りを同じ条件で楽に行なうことができる。
【００４０】
図７に示す厚さＴ１のマットレス２９を使用した場合、図６に示すように第１乃至第３の脚体３１〜３３を２つに分割し、その下側の部分だけを用いるようにしてもよい。それによって、床面からマットレス２９の上面までの高さを低くすることができるから、老人や身体が不自由な利用者などの場合にはマットレス２９に対する乗り降りをし易くすることができる。
【００４１】
この考案は上記一実施の形態に限定されるものでなく、種々変形可能である。たとえば、ヘッドボードとフットボードの内面に幕板を設け、この幕板を介して箱状体と側板を連結するようにしたが、幕板を用いずにヘッドボードとフットボード内面に上記箱状体と側板を直接連結するようにしてもよい。
【図面の簡単な説明】
【００４２】
【図１】この考案の一実施の形態のベッド装置を示す分解斜視図。
【図２】組み立てられたベッド装置の斜視図。
【図３】（ａ）〜（ｃ）はブラケットの三面図。
【図４】幕板の幅方向の端部にブラケットを介して取付けられた第２の脚体の部分の平面図。
【図５】厚さの薄いマットレスが使用される場合のヘッドボードの取付け状態を説明する側面図。
【図６】図５に示されたマットレスよりも厚さの厚いマットレスが使用される場合のヘッドボードの取付け状態を説明する側面図。
【図７】図５に示す厚さのマットレスを用いた場合に、第１乃至第３の脚体を短くして使用する場合を説明するための側面図。
【図８】ヘッドボードの取付け高さが同じ状態でマットレスの厚さを変えたときのヘッドボードの突出高さを説明する図。
【符号の説明】
【００４３】
１…載置体、２…箱状体、３…床板、６…引き出し、１３…ヘッドボード、１４…フットボード、２４…側板、２９…マットレス、３１…第１の脚体、３２…第２の脚体、３３…第３の脚体、３６…ブラケット、３６ａ…下端面（取付け面）。
【図１】
0003138332.tif 000003
【図２】
0003138332.tif 000004
【図３】
0003138332.tif 000005
【図４】
0003138332.tif 000006
【図５】
0003138332.tif 000007
【図６】
0003138332.tif 000008
【図７】
0003138332.tif 000009
【図８】
0003138332.tif 000010